(57)【要約】【課題】代掻き作業を行う場合と、通常の耕耘作業を行う場合とで形状の異なる延長整地体をリヤカバーに取付ける必要があり、交換作業に手間がかかると共に、複数の延長整地体を備える必要があるため部品管理などが煩わしくなる。【解決手段】リヤカバー２３の両端に突出するように取付けられる延長整地体２７の進行方向前方側の端部に可撓性を有したゴム板２９を設け、該ゴム板２９の隅部Ｃ１，Ｃ２を折り曲げることで、ゴム板２９に接触する圃場の土壌をリヤカバーの内方か外方に案内する。【選択図】図２
2013099302.tif 000002
【特許請求の範囲】
【請求項１】
ロータリ耕耘爪と、該ロータリ耕耘爪の上方を覆う天板及び前記ロータリ耕耘爪の側方を覆う側板からなるロータリカバーと、該ロータリカバーに上下方向に揺動自在に支持されるリヤカバーと、を備えるロータリ耕耘装置において、
前記リヤカバーの両端に外方に向かって突出するように延長整地体を取付け、
該延長整地体の前端側に可撓性からなる案内部材を設け、
該案内部材は、ロータリ耕耘装置の進行に伴う土壌との接触により、該土壌を前記リヤカバーの外方に向けて導く位置と内方に向けて導く位置とに選択して固定される、
ことを特徴とするロータリ耕耘装置。
【発明の詳細な説明】
【技術分野】
【０００１】
本発明は、トラクタなどの作業車両の後部に装着されて耕耘作業を行うロータリ耕耘装置に係り、詳しくは、リヤカバーの両端に取付けられて圃場面を整地する延長整地体に関する。
【背景技術】
【０００２】
一般に、ロータリ耕耘装置による耕耘作業は、トラクタなど作業車両の後方にロータリ耕耘装置を装着し、ロータリ耕耘装置を装置した作業車両で走行しながら行う。ロータリ耕耘装置のロータリカバーの側方には、ロータリ耕耘爪軸に動力伝達するチェーンを納めたチェーンケースが突出するように設けられている。耕耘作業の際、このチェーンケースは、圃場の土壌内に入るため圃場の土壌が掘り起こされてチェーンケースによる溝が掘られてしまう。
【０００３】
従来、リヤカバーの両端に外方に向かって突出するように延長整地体が取付けられ、チェーンケースによって掘り起こされた土壌やロータリカバーの外に飛び出した土塊などをこの延長整地体で整地する（均平にする）ロータリ耕耘装置が案出されている（例えば、特許文献１参照）。
【先行技術文献】
【特許文献】
【０００４】
【特許文献１】特開２００７−８２４４２号公報
【発明の概要】
【発明が解決しようとする課題】
【０００５】
しかしながら、上記特許文献１に記載のロータリ耕耘装置における延長整地体は、延長整地体に接触した圃場の土壌を一方向にしか流すことができないため、例えば、接触した土壌を延長整地体の外方に向かって流れるようにして行う代掻き作業と、接触した土壌をリヤカバーの内方（リヤカバー内に入るように）に向かって流れるようにして行う通常の耕耘作業とでは、土壌の流れを変えるために異なる形状の延長整地体を付け換える必要がある。このため、延長整地体の交換作業に手間がかかる他、形状が異なる複数の延長整地体を備える必要があり、部品管理の煩わしさなどもあった。
【０００６】
そこで、本発明は、延長整地体に土壌をリヤカバーの内方か外方に切換えて案内する案内部材を設け、もって上記課題を解決したロータリ耕耘装置を提供することを目的とする。
【課題を解決するための手段】
【０００７】
本発明は、ロータリ耕耘爪（２２）と、該ロータリ耕耘爪（２２）の上方を覆う天板（１９）及び前記ロータリ耕耘爪（２２）の側方を覆う側板（２０）からなるロータリカバー（１７）と、該ロータリカバー（１７）に上下方向に揺動自在に支持されるリヤカバー（２３）と、を備えるロータリ耕耘装置（１）において、
前記リヤカバー（２３）の両端に外方に向かって突出するように延長整地体（２７）を取付け、
該延長整地体（２７）の前端側に可撓性からなる案内部材（２９）を設け、
該案内部材（２９）は、ロータリ耕耘装置（１）の進行に伴う土壌との接触により、該土壌を前記リヤカバー（２３）の外方に向けて導く位置と内方に向けて導く位置とに選択して固定される、ことを特徴とする。
【０００８】
なお、上記カッコ内の符号は、図面と対照するためのものであるが、これにより特許請求の範囲の記載に何等影響を及ぼすものではない。
【発明の効果】
【０００９】
請求項１に係る発明によると、リヤカバーの両端に取付けられて圃場を整地する延長整地体の前端側に、圃場の土壌をリヤカバーの外方に向けて導く位置と内方に向けて導く位置とに選択して固定し得る可撓性からなる案内部材を設けたので、一つの延長整地体で圃場の土壌をリヤカバーの外側又は内側に案内することができる。これにより、圃場の土壌の案内をリヤカバーの内側又は外側に変える度に延長整地体を取り換える必要がないため、延長整地体の交換の手間が省けて耕耘作業の効率化を図ることができる。また、異なる複数の延長整地体を備える必要もないので部品管理の負担も軽減される。
【図面の簡単な説明】
【００１０】
【図１】本実施形態に係るロータリ耕耘装置の耕耘作業時の状態を示す側面図。
【図２】圃場の土壌が延長レベラによりリヤカバーの外方に案内されている状態を示すロータリ耕耘装置の平面図。
【図３】圃場の土壌が延長レベラによりリヤカバーの内方に案内されている状態を示すロータリ耕耘装置の平面図。
【図４】延長レベラの全体を示す斜視図。
【図５】延長レベラを構成する各部品を示した図であって、（ａ）は整地プレートを示す斜視図であり、（ｂ）はゴム板を示す斜視図であり、（ｃ）は固定プレートを示す斜視図であり、（ｄ）は固定ピンを示す斜視図であり、（ｅ）は抜止めピンを示す斜視図である。
【発明を実施するための形態】
【００１１】
以下、図面に沿って、本発明に係るロータリ耕耘装置の実施形態について説明する。ロータリ耕耘装置１は、図１に示すように、１本のトップリンク３と左右二本のロアリンク５とからなる三点リンク機構６やオートヒッチ７などを介してトラクタ２の機体後部に装着されている。前記トップリンク３は、トラクタ２の機体後部に設けられたブラケット９に連結されており、ロアリンク５は、左右のリフトロッド１０を介してリフトアーム（不図示）に連結されている。該左右のリフトロッド１０の一方には、図示しない油圧シリンダが介在しており、ロータリ耕耘装置１は、該油圧シリンダによって揺動自在でトラクタ２の後部に連結されている。
【００１２】
ロータリ耕耘装置１の上方には、左右一対のトップマスト１１が設けられており、該トップマスト１１には、調整ハンドル１２を備えた伸縮ロッド１３の一端が取付けられている。該伸縮ロッド１３の他端は、後方に向かって延設された支持アーム１５に取付けられており、該支持アーム１５の一端部には、尾輪（不図示）などを取付けるツールバー１６が取付けられている。
【００１３】
上記支持アーム１５の下方には、ロータリカバー１７が設けられている。該ロータリカバー１７は、主にロータリ耕耘爪２２上方を覆う天板１９とロータリ耕耘爪２２の側方を覆う左右の側板２０とから構成されており、該ロータリカバー１７内には、ロータリ耕耘爪軸２１が回転自在に設けられている。該ロータリ耕耘爪軸２１には、鉈形状に形成された複数の前記ロータリ耕耘爪２２が取付けられており、ロータリ耕耘爪２２の左側方を覆う側板２０側には、ロータリ耕耘爪軸２１に動力を伝達するためのチェーン（不図示）を収納するチェーンケース２５が外方に向かって突出するように設けられている。また、前記ロータリカバー１７には、耕耘された圃場面を整地する（均平にする）リヤカバー２３が上下方向に揺動自在で支持されており、ロータリカバー１７の左右の側板２０には、リヤカバー２３と側板２０との空間を覆うリヤサイドカバー２４などが設けられている。
【００１４】
上記リヤカバー２３の左右両端には、図２及び図３に示すように、延長整地体である延長レベラ２７がリヤカバー２３の進行方向と直交する幅方向に折り畳み自在で取付けられている。
【００１５】
上記延長レベラ２７は、図５に示すように、矩形形状に形成された整地プレート２８を有しており、該整地プレート２８は、圃場面に接地した際に圃場面を滑動し易くするために側面視で円弧状に形成されている。また、該整地プレート２８の長手方向の一端側（リヤカバー２３に取付けた際の進行方向前方側）には、後述する案内部材であるゴム板２９を連結するための連結孔２８ｂ・・・が複数設けられており、整地プレート２８の短手方向の一端側には、整地プレート２８を前記リヤカバー２３に折り畳み自在で取付けるための支持ステー２８ａが設けられている。さらに、整地プレート２８の中心には、上方に向って突出するようにピン部材２８ｃが設けられている。
【００１６】
上記連結孔２８ｂが複数設けられた整地プレート２８の一端には、案内部材である可撓性を有したゴム板２９が一体に設けられている（図４参照）。該ゴム板２９は矩形形状に形成されており、圃場面を滑動し易くするため側面視で円弧状に形成されている。また、ゴム板２９の長手方向の一端側には、上記ピン部材２８ｃに嵌合させてゴム板２９を固定する固定孔２９ａ，２９ｂが設けられており、その他端側には、上記整地プレート２８にゴム板２９を連結するための連結孔２９ｃ・・・が複数設けられている。またゴム板２９は、固定部材であるプレート３０と共に、固定ピン３１によって整地プレート２８に固定されている。
【００１７】
ついで、上述のように構成されたロータリ耕耘装置１の動作について説明する。作業者は、チェーンケース２５によって掘り起こされた土壌や、ロータリカバー１７内から外方に飛び出した土塊などを整地しながら耕耘作業を行うために、リヤカバー２３に延長レベラ２７を取付ける（又は、折り畳まれて収納状態にある延長レベラ２７を開いて作業状態にする）。
【００１８】
そして、代掻き作業を行う場合には、ゴム板２９に接触する圃場の土壌を延長レベラ２７の外方（リヤカバー２３の外側）に向かって流れるようにするため、作業者は、進行方向前方側におけるリヤカバー２３と離間する側のゴム板２９の隅部（以下、離間側隅部という）Ｃ１を後方の内側に向かって折り曲げ（撓ませ）、離間側隅部Ｃ１に設けられた固定孔２９ａを整地プレート２８に設けられたピン部材２８ｃに嵌合させる。その後、ピン部材２８ｃの上端部側に設けられた孔２８ｄに抜止めピン３２を差し込んで離間側隅部Ｃ１を固定する。すると、ゴム板２９の離間側隅部Ｃ１は、同じく進行方向前方側におけるリヤカバー２３と近接する側のゴム板２９の隅部（以下、近接側隅部という）Ｃ２に対して後方側に位置した状態になる（図２参照）。そして、圃場の土壌は、ゴム板２９に接触した後、延長レベラ２７で均平にされながら延長レベラ２７の外方へと案内（移動）される。
【００１９】
また、通常の耕耘作業を行う場合には、ゴム板２９に接触した圃場の土壌を延長レベラ２７の内方（リヤカバー２３の内側）に向かって流れるようにするため、作業者は、上述の代掻き作業の場合と異なり、ゴム板２９の近接側隅部Ｃ２を後方の内側に向かって折り曲げ、固定孔２９ｂとピン部材２８ｃとを嵌合させた後に抜止めピン３２で固定する。すると、ゴム板２９の近接側隅部Ｃ２は、離間側隅部Ｃ１に対して後方に位置した状態になる（図３参照）。そして、圃場の土壌は、ゴム板２９に接触した後、延長レベラ２７で均平にされながらリヤカバー２３内に案内され、案内された土壌はリヤカバー２３により均平にされる。
【００２０】
また、作業者が圃場の土壌をリヤカバーの内方又は外方に案内することなく、延長レベラ２７で整地する場合には、ゴム板２９を開いた状態（ゴム板２９を折り曲げることなく）のままで耕耘作業を行う。
【００２１】
上述のように、リヤカバー２３の両端に取付けられて圃場面を整地する延長レベラ２７の前方側の端部に可撓性を有したゴム板２９を一体に設け、ゴム板２９の隅部Ｃ１，Ｃ２が圃場の土壌がリヤカバー２３の外方に向けて導く位置と内方に向けて導く位置とに選択して固定できるようにしたので、圃場の土壌を一つの延長レベラ２７でリヤカバー２３の外方か内方に導くことができる。これにより、例えば、リヤカバー２３の外方側の土壌を、リヤカバー２３で均平にするためにリヤカバー２３内に案内しながら行う通常の耕耘作業と、延長レベラ２６で均平にしながらリヤカバー２３外に案内して行う代掻き作業とを一つの延長レベラ２７で行うことができ、延長レベラ２７の交換の手間が省けて耕耘作業の効率化を図ることができる。また、形状の異なる複数の延長レベラ２７を保管しておく必要がないため部品管理などの負担も軽減される。
【００２２】
また、ゴム板２９に設けられた固定孔２９ａ，２９ｂをピン部材２８ｃに嵌合させた後、ピン部材２８ｃの上端部側に設けられた孔２８ｄに抜止めピン３２を差し込むことでゴム板２９の隅部Ｃ１，Ｃ２を固定するように構成したので、工具を使うことなく固定孔２９ａ，２９ｂの付け換えをすることができる。これにより、容易にゴム板２９が圃場の土壌をリヤカバー２３の外方に向けて導く位置と内方に向けて導く位置とに選択して固定することができる。
【００２３】
なお、本実施の形態では、圃場の土壌を延長レベラ２７の外方及び内方に導く案内部材をゴム板２９で構成したが、これに限らず、可撓性を有する部材であれば何れの部材であってもよい。
【符号の説明】
【００２４】
１    ロータリ耕耘装置
１７  ロータリカバー
１９  天板
２０  側板
２２  ロータリ耕耘爪
２３  リヤカバー
２７  延長整地体（延長レベラ）
２９  案内部材（ゴム板）
【図１】
2013099302.tif 000003
【図２】
2013099302.tif 000004
【図３】
2013099302.tif 000005
【図４】
2013099302.tif 000006
【図５】
2013099302.tif 000007